(57)【要約】【課題】携帯通信端末で計測したセンサ情報を、サービスを提供するサーバに通知するときに、携帯通信端末の消費電力を低く抑えることができる携帯通信システムを提供する。【解決手段】携帯通信端末１１は、周辺情報、位置情報、人体情報などを計測するセンサを有する。基地局１２は、スリープ状態の間欠送受信期間にて上り送信帯域を割り当て、この上り送信帯域を用いて、携帯通信端末１１から、前記センサにて計測したセンサ情報のみのデータを受信した場合は、受信したデータを制御データとして扱う。基地局１２が、携帯通信端末１１から受信したデータを制御データとして扱うため、間欠送受信期間を満了すると、携帯通信端末１１は、スリープ状態に戻る。【選択図】図２
2018113712.tif 000002
【特許請求の範囲】
【請求項１】
間欠送受信期間が満了するとスリープ状態に戻る携帯通信端末と基地局から構成される携帯通信システムにおいて、
前記携帯通信端末は、センサを有し、
前記携帯通信端末は、前記スリープ状態のときに前記センサにて計測されたセンサ情報のデータを前記間欠送受信期間にて前記基地局に送信した場合、前記間欠送受信期間満了に伴い前記スリープ状態に移行し、
前記携帯通信端末は、前記センサ情報および前記センサ情報以外のデータを前記間欠送受信期間にて前記基地局に送信した場合、前記間欠送受信期間が満了しても前記スリープ状態に移行しないことを特徴とする携帯通信システム。
【請求項２】
間欠送受信期間が満了するとスリープ状態に戻る携帯通信端末において、
前記スリープ状態のときにセンサにて計測されたセンサ情報のデータを前記間欠送受信期間にて基地局に送信した場合、前記間欠送受信期間満了に伴い前記スリープ状態に移行し、
前記センサ情報および前記センサ情報以外のデータを前記間欠送受信期間にて前記基地局に送信した場合、前記間欠送受信期間が満了しても前記スリープ状態に移行しない携帯通信端末。
【発明の詳細な説明】
【技術分野】
【０００１】
本発明は、携帯通信端末で計測したセンサ情報を、基地局を介して、サービスを提供するサーバに通知する携帯通信システムに関する。
【背景技術】
【０００２】
携帯通信端末は、使用者が常に携行し、位置を特定する機能を有する。このことから、携帯通信端末は、ＲＦＩＤ（Radio Frequency Identification）などの機能と組み合わせて、学校、塾などの登下校における児童の位置確認を行う見守りサービスに利用されている（特許文献１参照）。また、さらに振動センサ、温度センサなど様々なセンサを使用することにより、携帯通信端末の使用者の個体の識別、および状況の解析を行い、一人暮らしの高齢者の安否を確認する安否確認サービスや、使用者へ的確な情報をタイムリーに提供するサービスなどへの応用が行われつつある。
【０００３】
見守りサービス、安否確認サービス、情報提供サービスなど、このような携帯通信端末の携行者の状況に応じたサービスをきめ細かく行うには、絶えず、携帯通信端末のセンサにて計測した計測値を、サービスを提供するサーバに通知し、携帯通信端末の携行者の状況、環境を常に捕捉している必要があることになる。
【先行技術文献】
【特許文献】
【０００４】
【特許文献１】特開２０１０−１４７５３６号公報
【発明の概要】
【発明が解決しようとする課題】
【０００５】
定期的に通信する方法として、ＶｏＩＰなどを想定したSemi-persistentスケジューリングがある。ＶｏＩＰの場合、２０［ｍｓ］毎にＶｏＩＰパケットを通話相手との間で送受信し合うことになる。Semi-persistentスケジューリングでは、一定時間間隔（２０［ｍｓ］〜６４０［ｍｓ］）で、基地局（ｅＮＢ）が帯域を割り当てることを行う。他方、ＷＷＷブラウジング、ＦＴＰなどの場合、Dynamicスケジューリングで、送受信容量に応じて、一時的に帯域を割り当てることを行う。
【０００６】
Semi-persistentスケジューリングを用いた音声通話などは、使用者が意識的に通信を利用しているため、ＶｏＩＰパケットの送受信が終わるまで、常に携帯通信端末の通信部は起動していることとなる。センサ情報をサーバに通知するためにSemi-persistentスケジューリングを使用した場合は、常に通信部が起動しつづけることとなり、通信時間と同等の時間しか使用できないこととなることを意味する。
【０００７】
これに対して、Dynamicスケジューリングを用い、ｗｗｗブラウジングと同じようにした場合、携帯通信端末の通信部は、センサ情報をサーバに送るときに、上り帯域割当要求を行い、基地局（ｅＮＢ）からの帯域割当に基づいて、センサ情報をサーバに送出する。送信が終了し、一定時間（DRX Inactivity Timer）（１〜２５６０［ｍｓ］）が経過すると、通信部はスリープ状態（DRX(Discontinuous Reception)）に入る。
【０００８】
センサが計測し、送信要求が発生すると、通信部は、間欠送受信タイミング（On Duration）に、上り帯域割当要求を行う。基地局（ｅＮＢ）から帯域割当が行われると、センサ情報をサーバに送出し、通信部のスリープ状態が解除される。送信が終了し、一定時間経過すると、通信部はスリープ状態に入る。これを繰り返すこととなる。
【０００９】
Dynamicスケジューリングを用いる場合は、Semi-persistentスケジューリングに比べ、通信部がスリープ状態に入るために、消費電力は幾分低くなる。しかしながら、Dynamicスケジューリングを用いる場合でも、センサ情報の送信が発生する度に、通信部はスリープ状態が解除されることとなり、また、スリープ状態に移行するまでの時間（DRX Inactivity Timer）が、センサの通知周期より短い場合、スリープ状態に移行することなく、Semi-persistentスケジューリングの場合と同じく、常に通信部が起動していることとなり、消費電力が問題となる。
【００１０】
本発明は、このような問題点に鑑みてなされたものであり、本発明の目的は、携帯通信端末で計測したセンサ情報を、サービスを提供するサーバに通知する際に、携帯通信端末の消費電力を低く抑えることができる携帯通信システムを提供することにある。
【課題を解決するための手段】
【００１１】
上記目的を達成するため、本発明は、間欠送受信期間が満了するとスリープ状態に戻る携帯通信端末と基地局から構成される携帯通信システムにおいて、前記携帯通信端末は、センサを有し、前記携帯通信端末は、前記スリープ状態のときに前記センサにて計測されたセンサ情報のデータを前記間欠送受信期間にて前記基地局に送信した場合、前記間欠送受信期間満了に伴い前記スリープ状態に移行し、前記携帯通信端末は、前記センサ情報および前記センサ情報以外のデータを前記間欠送受信期間にて前記基地局に送信した場合、前記間欠送受信期間が満了しても前記スリープ状態に移行しないことを特徴とする。
【００１２】
上記目的を達成するため、本発明は、間欠送受信期間が満了するとスリープ状態に戻る携帯通信端末において、前記スリープ状態のときにセンサにて計測されたセンサ情報のデータを前記間欠送受信期間にて基地局に送信した場合、前記間欠送受信期間満了に伴い前記スリープ状態に移行し、前記センサ情報および前記センサ情報以外のデータを前記間欠送受信期間にて前記基地局に送信した場合、前記間欠送受信期間が満了しても前記スリープ状態に移行しない。
【発明の効果】
【００１３】
基地局は、間欠送受信期間にて上り送信帯域を割り当て、この上り送信帯域を用いて、携帯通信端末からセンサ情報のデータを受信した場合は、受信したデータを制御データとして扱うために、間欠送受信期間が満了すると、携帯通信端末は、スリープ状態に戻ることとなる。このため、本発明によれば、携帯通信端末で計測したセンサ情報を、サービスを提供するサーバに通知するときに、携帯通信端末の消費電力を低く抑えることが可能となる。
【図面の簡単な説明】
【００１４】
【図１】本発明の実施形態に係る携帯通信システムの構成を示す図である。
【図２】基地局が携帯通信端末からセンサ情報のみのデータを受信するときの携帯通信端末と基地局とサーバの動作を説明するシーケンス図である。
【図３】基地局が携帯通信端末からセンサ情報以外のデータを受信するときの携帯通信端末と基地局とサーバの動作を説明するシーケンス図である。
【発明を実施するための形態】
【００１５】
本発明の実施の形態について、図面を参照して説明する。図１は、本発明の実施形態に係る携帯通信システムの構成を示す図である。使用者１に携行されている携帯通信端末（ＵＥ）１１は、基地局（ｅＮＢ）１２と無線接続する。携帯通信端末（ＵＥ）１１のセンサにて計測された計測値は、基地局（ｅＮＢ）１２およびネットワーク１９を介して、サーバ１３に通知される。サーバ１３は、携帯通信端末（ＵＥ）１１に対して設定されているサービス内容に基づいて、受信したセンサ情報を解析する。例えば、設定されているサービス内容が、児童の登下校における見守りサービスである場合、受信した位置情報が、想定されるエリアの外に出たと判断された場合、前もって設定されている通知先（児童の保護者、警察など）に通報する。なお、ここで、センサは、例えば、周辺情報、位置情報、人体情報などを計測する各種センサである。携帯通信端末（ＵＥ）１１は、例えば、携帯電話機、スマートフォンなどの情報端末である。
【００１６】
図２は、図１に示す携帯通信システムにおいて、基地局が携帯通信端末からセンサ情報のみのデータを受信するときの携帯通信端末と基地局とサーバの動作を説明するシーケンス図である。
【００１７】
携帯通信端末１１のＵＭ Ｅｎｔｉｔｙの接続において、ＰＣＲＦ（Policy and Charging Rules Function）からのＱｏＳ情報がセンサ情報である場合、基地局１２は、センサ情報に付随する送信間隔Ｔｓｎｓに基づいて、スリープ状態におけるスリープ間隔（DRX Cycle＝Ｔｓｎｓ）および間欠送受信期間（On duration）を決定する。
【００１８】
基地局１２は、携帯通信端末１１の通信部がスリープ状態にある場合、間欠送受信期間（On duration）時に、センサ情報用の上り送信帯域を割り当てるものとする。携帯通信端末１１は、基地局１２からのセンサ情報用の上り帯域割り当て（PDCCH）を受信すると、センサによる計測値を前記上り帯域にて送出する。基地局１２は、前記センサ情報用の上り帯域によるデータを受信し、ユーザデータ（Entity QoS＝センサ情報）をサーバ１３に送出する。基地局１２は、携帯通信端末１１からの受信データがセンサ情報とするｅｎｔｉｔｙの上りデータのみの場合、受信データを制御データとして扱い、間欠送受信期間（On Duration）満了に伴い、対象とする携帯通信端末１１が、スリープ状態に移行する。
【００１９】
また、基地局１２は、センサ情報の受信に基づいて、上り同期補正値を算出し、同期補正情報（Timing Advance Command）を携帯通信端末１１へ通知する。携帯通信端末１１は、同期補正情報を受信すると、上りの同期補正を行う。また、携帯通信端末１１は、同期補正情報の受信を持って、センサ情報が基地局１２に到達したと判断する。
【００２０】
図３は、図１に示す携帯通信システムにおいて、基地局が携帯通信端末からセンサ情報以外のデータを受信するときの携帯通信端末と基地局とサーバの動作を説明するシーケンス図である。
【００２１】
基地局１２は、携帯通信端末１１の通信部がスリープ状態にある場合、間欠送受信期間（On duration）時に、センサ情報用の上り送信帯域を割り当てるものとする。携帯通信端末１１は、基地局１２からのセンサ情報用の上り帯域割り当て（PDCCH）を受信すると、センサによる計測値を前記上り帯域にて送出する。基地局１２は、前記センサ情報用の上り帯域によるデータを受信し、ユーザデータ（Entity QoS≠センサ情報）をサーバ１３に送出する。基地局１２は、携帯通信端末１１からの受信データがセンサ情報とするＥｎｔｉｔｙの上りデータのみでない場合、受信データをユーザデータとして扱い、携帯通信端末１１が、スリープ状態を解除し、DRX Inactivity Timerを開始する。
【００２２】
基地局１２は、スリープ解除状態においても、センサの通知周期Ｔｓｎｓ毎に、センサ情報用の上り帯域割り当てを行う。携帯通信端末１１から上り帯域割り当て要求（Buffer Status Report）がある場合は、帯域割り当て要求（Buffer Status Report）にて示された上り帯域割り当て要求に、センサ情報用の上り帯域分を加えて、スケジューリングを行う。
【００２３】
上述したように、基地局は、間欠送受信期間にて上り送信帯域を割り当て、この上り送信帯域を用いて、携帯通信端末からセンサ情報のデータを受信した場合は、受信したデータを制御データとして扱うために、間欠送受信期間が満了すると、携帯通信端末は、スリープ状態に戻ることとなる。このため、本発明によれば、携帯通信端末は、間欠送受信期間では、センサ情報の送信分、電力を消費するが、Semi-persistentスケジューリングやDynamicスケジューリングを利用した場合と比べ、消費電力を低く抑えることが可能となる。
【符号の説明】
【００２４】
１  使用者
１１  携帯通信端末
１２  基地局
１３  サーバ
１９  ネットワーク
【図１】
2018113712.tif 000003
【図２】
2018113712.tif 000004
【図３】
2018113712.tif 000005